(57)【要約】【課題】搬送面を平面化することにより、搬送時に利用する以外にでも、多目的に使用可能な循環型搬送装置を提供すること。【解決手段】搬送基板４上に載置された複数の食器皿Ｓ下面のマグネットが無端チェン１０のマグネット１２に吸引されて、食器皿Ｓが循環搬送されるに際し、少なくとも食器皿Ｓを載置して循環搬送する搬送基板４の上面は平坦な平面で形成されているので、食器皿Ｓを搬送していないときは、例えば観葉植物用の台として、あるいは事務を行うデスクとして利用でき、搬送基板４全面を平面で構成すれば不使用時の保管にも嵩張らず便利である。【選択図】  図１
2004248854.tif 000002
【特許請求の範囲】
【請求項１】
搬送基板の一方側に配置したマグネット式の無端循環走行機構により、前記搬送基板の他方側に配置した磁性材を有する被搬送体が吸引されて循環搬送される循環型搬送装置であって、少なくとも前記被搬送体が搬送される搬送基板面上は平面化されていることを特徴とする循環型搬送装置。
【請求項２】
前記マグネット式の無端循環走行機構の電源は可搬式バッテリーである請求項１に記載の循環型搬送装置。
【請求項３】
前記搬送基板はマグネット式の無端循環走行機構を有する循環型搬送装置本体に対して交換可能に取り付けられている請求項１または２に記載の循環型搬送装置。
【請求項４】
前記マグネット式の無端循環走行機構と搬送基板は可搬可能にユニット化されている請求項１または２に記載の循環型搬送装置。
【請求項５】
前記搬送基板は折曲自在の脚部材が設けられている請求項１ないし４の何れかに記載の循環型搬送装置。
【発明の詳細な説明】
【０００１】
【発明の属する技術分野】
本発明は、搬送基板の一方側に配置したマグネット式の無端循環走行機構により、前記搬送基板の他方側に配置した磁性材を有する被搬送体が吸引されて循環搬送される循環型搬送装置に関する。
【０００２】
【従来の技術】
例えば、回転寿司と称されている寿司店の循環型飲食物搬送装置は、無端状の搬送路上に載置された飲食物容器の下端に磁性材を添着し、搬送路の下方を循環走行するマグネット式の無端循環走行機構により磁性材を吸引して飲食物容器を循環搬送する循環型搬送装置が知られている。（特許文献１参照）。
【０００３】
そして、上記のような循環型搬送装置は、飲食物容器を搬送路に形成した案内溝に載置して循環搬送されるようになっており、搬送路自体は基台等を介して床側に据え置かれていた。
【０００４】
【特許文献１】
特開平２００１−２９２０８号公報（第２，３頁、図２）
【０００５】
【発明が解決しようとする課題】
しかしながら、上記した従来の循環型搬送装置の搬送面は、被搬送体の走行案内のための案内溝が形成されているので、被搬送体を搬送しないときは案内溝があるために何も利用することができなかった。しかも循環型搬送装置が据え置き型であるために移動して他の場所で利用することは考慮していなかった。
【０００６】
本発明は、上記課題に鑑みて発想されたもので、搬送面を平面化することにより、搬送時に利用する以外にでも、多目的に使用可能な循環型搬送装置を提供することを目的としている。
【０００７】
【課題を解決するための手段】
上記目的を達成するために、本発明の循環型搬送装置は、搬送基板の一方側に配置したマグネット式の無端循環走行機構により、前記搬送基板の他方側に配置した磁性材を有する被搬送体が吸引されて循環搬送される循環型搬送装置であって、少なくとも前記被搬送体が搬送される搬送基板面上は平面化されていることを特徴としている。
この特徴によれば、搬送基板の被搬送体が搬送されるところが平面であるので、被搬送体を搬送していないときは、例えば観葉植物用の台として、あるいは事務を行うデスクとして利用でき、搬送基板全面を平面で構成できるので不使用時の保管にも嵩張らず便利である。
【０００８】
上記本発明の循環型搬送装置において、前記マグネット式の無端循環走行機構の電源は可搬式バッテリーであるのが好ましい。
このようにすると、循環型搬送装置を外に持ち出して、机等に載置すれば野外でパーティを開くこともできる。
【０００９】
上記本発明の循環型搬送装置において、前記搬送基板はマグネット式の無端循環走行機構を有する循環型搬送装置本体に対して交換可能に取り付けられているのが好ましい。
このようにすると、デザイン等の異なる種々の搬送基板を好みに合わせて自由に交換することができる。
【００１０】
上記本発明の循環型搬送装置において、前記マグネット式の無端循環走行機構と搬送基板は可搬可能にユニット化されているのが好ましい。
このようにすると、可搬式であるから屋内屋外問わずどこにでも設置して、場合により複数連接してホームパーティ等が開け、パーティ後は団らんテーブルや雀卓に利用することも可能である。
【００１１】
上記本発明の循環型搬送装置において、前記搬送基板は折曲自在の脚部材が設けられているのが好ましい。
このようにすると、脚部材を折り畳めるので運搬に便利であり、また脚部材を折り畳たんだまま他の台に乗せて循環型搬送装置として利用したり、脚部材を伸ばして会議用テーブルに利用したりすることも可能である。
【００１２】
【発明の実施の形態】
以下、本発明の実施形態を図面に基づいて説明する。
【００１３】
図１は本発明の一実施形態であって、平面化された搬送基板上面で食器皿を循環搬送する無端循環走行機構を有するユニット化された循環型搬送装置の一部断面を示す全体斜視図、図２はユニット化された循環型搬送装置の一部断面を示す平面図、図３はユニット化された循環型搬送装置の側面図であり、図４は脚部が折り畳まれた状態を示すユニット化された循環型搬送装置の斜視図である。
【００１４】
図１に示す符号１は循環型搬送装置であって、この循環型搬送装置１は、平坦な搬送基板４と、この搬送基板４を所定高さに支持する４本の折曲自在の脚柱８と、搬送基板４の一方側下面に配置される電動モータと減速機から成る駆動装置６により無端チェン１０を循環移送すべく点線で示される矩形状搬送路Ｔを構成する無端循環走行機構５とから構成されている。尚、搬送基板４は透磁性を有する材料で構成されれば良く、摺動面が滑らかな低摩擦の材料で構成されれば好適である。
【００１５】
無端チェン１０は、図２に示すように、駆動装置６によって走行駆動される駆動側スプロケット１５ａと、搬送路Ｔの対角側に配置された従動側スプロケット１５ｂにそれぞれ巻回され、且つ他の対角側コーナ部に配置されて無端チェン１０を９０度方向に変換する一対のチェンガイド１６ａ，１６ｂによって案内されて矩形状の搬送路Ｔを構成して循環移送されるようになっている。
【００１６】
無端チェン１０の上部には、後述する被搬送体としての食器皿Ｓ下面の磁性材を吸引して搬送基板４上で搬送すべく磁性材となる複数の永久磁石で構成されるマグネット１２が所定間隔で止着されており、これらマグネット１２は搬送基板４の下面に近接して均等間隔に維持した状態で、図示しない矩形状のガイドレールに案内されて移送可能に支持されている。
【００１７】
本実施形態では、被搬送体を、寿司などを載置する食器皿Ｓとして説明するが、この食器皿Ｓは、周知のように円筒状糸底の凹部内に磁性材となる永久磁石から構成される図示しない円板状のマグネットが装着されており、このマグネットに対し無端チェン１０の上部に止着された円板状のマグネット１２は、互いに対向面が逆極性関係となるように配置されている。
【００１８】
そして、搬送基板４下面には、駆動装置６ないしチェンガイド１６ａ，１６ｂなどから成る無端循環走行機構５を収容する収容部７が設けられており、収容部７の周囲は幕板１４（図３参照）により隠蔽されている。
【００１９】
脚柱８は、図３に示すように、所定高さ位置（本実施形態では幕板１４下端の近傍位置）から枢支ピンＰを介して折曲可能に枢着された上脚８ａと下脚８ｂから構成されており、下脚８ｂの中間には折り畳み可能なサポート２０の一端側が枢支されると共にその他端側が幕板１４下方の内側に設けられた係止ピン２６に係合可能に構成され、このサポート２０により立脚状態の上下脚８ａ，８ｂを保持している。
【００２０】
また、脚柱８の上下脚８ａ，８ｂを枢着する枢支ピンＰには、ベース体２２が、上下脚８ａ，８ｂが立脚した状態では外側を向いた状態で保持されている。
【００２１】
そこで、図４に示すように、４本の脚柱８の下脚８ｂが枢支ピンＰを介してテーブル２の長手方向内側に折り畳まれた状態では、上脚８ａの下端が枢支ピンＰを中心として下方に向いたベース体２２により支持されて、高さの低いテーブルとして使用することができる。
【００２２】
なお、駆動装置６を構成する電動モータとして交流電源に接続して使用される交流モータが用いられるが、電源のない野外等で使用する場合は図３に示されるような可搬式バッテリー２５が使用可能な直流モータが使用されるが、整流器を用いればモータの種類は制限されることはない。
【００２３】
次に、上記のように構成された循環型搬送装置の使用方法に付き以下に説明する。
【００２４】
先ず、建物内の会議室や民間の住宅内で所定の人数が集合して会食する立食パーティ等を行う際に、搬送基板４と無端循環走行機構５とを組込んでユニット化した単数または複数の循環型搬送装置１が持込まれる。
【００２５】
持込まれた循環型搬送装置１の搬送基板４上に、寿司などを乗せた複数の食器皿Ｓが載置されると、これら食器皿Ｓは搬送路Ｔと同じ軌跡を描いて搬送基板４上で循環搬送されて例えば簡易型の回転寿司として使用される。
【００２６】
そして、単数または複数の循環型搬送装置１を建物内の会議室や民間の住宅内に設置して簡易型の回転寿司として使用する際は、４本の脚柱８を立脚した状態で配置して駆動装置６を交流電源に接続し、または電源のない野外で使用する際は駆動装置６を可搬式バッテリー２５に接続して使用される。
【００２７】
駆動装置６が起動すると、駆動側スプロケット１５ａが駆動されて無端チェン１０の搬送が開始され、無端チェン１０上のマグネット１２も所定間隔毎に搬送路Ｔに沿って連続走行する。
【００２８】
そこで、平坦な搬送基板４上に載置された食器皿Ｓは、連続走行する無端チェン１０上のマグネット１２に吸引されて搬送路Ｔと同じ軌跡を描いて循環搬送される。
【００２９】
また、飲食者が座敷や床面上に座った状態で循環型搬送装置１を使用する際は、図４に示すように４本の下脚８ｂを内側に折畳みベース体２２を下方に向けた状態で、低い高さのテーブルとして所定位置に配置して使用することができる。
【００３０】
従って、上記のように構成された循環型搬送装置１によれば、搬送基板４上に載置された複数の食器皿Ｓが、無端チェン１０のマグネット１２に吸引された状態で循環搬送されるに際し、少なくとも食器皿Ｓを載置して循環搬送する搬送基板４の上面は平坦な平面で形成されているので、食器皿Ｓを搬送していないときは、例えば観葉植物用の台として、あるいは事務を行うデスクとして利用でき、搬送基板４全面を平面で構成しておけば不使用時の保管にも嵩張らず便利である。
【００３１】
また、無端循環走行機構５の電源は可搬式バッテリー２５を使用できる構成となっているので、循環型搬送装置を屋外に持ち出して、野外でパーティを開くこともできる。
【００３２】
更に、無端循環走行機構５と搬送基板４は可搬可能にユニット化されているので、屋内屋外を問わずどこにでも設置して、場合により複数連接してホームパーティ等の開催が可能となり、パーティ後は団らんテーブルや雀卓として利用することも可能である。
【００３３】
そして、テーブル２の脚柱８が折曲可能に枢着された上脚８ａと下脚８ｂとから構成されているので、運搬に便利であり、また脚柱８を折り畳たんだまま他の台に乗せて循環型搬送装置１として利用したり、折畳まれた脚柱８を立設して会議用テーブルに利用したりすることも可能である。
【００３４】
次に、循環型搬送装置の他の実施形態に付き図５を参照して説明する。図５は更に小型化された循環型搬送装置であって、ユニット化された複数のテーブルを大型テーブル上面に載置した状態を示す斜視図である。尚、上記実施形態に示される構成部材と同一構成部材は同一符号を付し重複する説明を省略する。
【００３５】
図５に示される循環型搬送装置は、符号２８ａ，２８ｂないし２８ｃで示されており、これら循環型搬送装置２８ａ，２８ｂ，２８ｃは、上記実施形態で示される循環型搬送装置１を小型化したもので、無端チェン１０を循環移送する駆動装置６ならびに矩形状の搬送路Ｔを構成する無端循環走行機構５から成る内部構造は同一構造で構成されている。
【００３６】
そして、これら循環型搬送装置２８ａ，２８ｂ，２８ｃは、平坦な搬送基板４とこの搬送基板４を所定高さに支持する４本の短い脚柱３８と、搬送基板４下面の一方側に配置された矩形状の搬送路Ｔを構成する無端循環走行機構とから構成されている。
【００３７】
そこで、上記のように構成された循環型搬送装置２８ａ，２８ｂ，２８ｃを、所定高さに構成された大型のテーブル３０の天板３２上に平行に並べて載置し、搬送基板４上にそれぞれ寿司などを載せた複数の食器皿Ｓが載置されると、これら複数の食器皿Ｓは所定の搬送路Ｔと同じ軌跡を描いて搬送される。
【００３８】
このように構成された小型の循環型搬送装置２８ａ，２８ｂ，２８ｃを複数並設して用いることで、循環型搬送装置２８ａ，２８ｂ，２８ｃ毎に種類別の寿司を載置したり、飲食者の数や分布に応じて循環型搬送装置２８ａ，２８ｂ，２８ｃの台数の増減が可能となるだけでなく、食器皿Ｓの供給量を適宜調整して載置することができる。
【００３９】
以上、本発明の実施形態を例を図面により説明してきたが、具体的な構成はこれら実施例に限られるものではなく、例えば、被搬送体として食器皿を例にして説明したが、循環型搬送装置を会議用テーブルとして使用し、被搬送体としては会議用資料であっても良い。また本発明の実施形態においては、搬送基板と無端循環走行機構とをユニット化して取り扱い便利に構成したが、逆に、搬送基板をマグネット式の無端循環走行機構を有する循環型搬送装置本体に対して交換可能に取り付けて、デザイン等の異なる種々の搬送基板を好みに合わせて選択して自由に交換することも可能である。
【００４０】
【発明の効果】
本発明によれば、次のような効果を奏することができる。
【００４１】
（ａ）請求項１記載の発明によれば、搬送基板の被搬送体が搬送されるところが平面であるので、被搬送体を搬送していないときは、例えば観葉植物用の台として、あるいは事務を行うデスクとして利用でき、搬送基板全面を平面で構成できるので不使用時の保管にも嵩張らず便利である。
【００４２】
（ｂ）請求項２記載の発明によれば、循環型搬送装置を外に持ち出して、机等に載置すれば野外でパーティを開くこともできる。
【００４３】
（ｃ）請求項３記載の発明によれば、デザイン等の異なる種々の搬送基板を好みに合わせて自由に交換することができる。
【００４４】
（ｄ）請求項４記載の発明によれば、可搬式であるから屋内屋外問わずどこにでも設置して、場合により複数連接してホームパーティ等が開け、パーティ後は団らんテーブルや雀卓に利用することも可能である。
【００４５】
（ｅ）請求項５記載の発明によれば、脚部材を折り畳めるので運搬に便利であり、また脚部材を折り畳たんだまま他の台に乗せて循環型搬送装置として利用したり、脚部材を伸ばして会議用テーブルに利用したりすることも可能である。
【図面の簡単な説明】
【図１】本発明の一実施形態であって、平面化された搬送基板上面で食器皿を循環搬送する無端循環走行機構を有するユニット化された循環型搬送装置の一部断面を示す全体斜視図である。
【図２】ユニット化された循環型搬送装置の一部断面を示す平面図である。
【図３】ユニット化された循環型搬送装置の側面図である。
【図４】脚部が折り畳まれた状態を示すユニット化された循環型搬送装置の斜視図である。
【図５】更に小型化された循環型搬送装置であって、ユニット化された複数の循環型搬送装置をテーブル上面に載置した状態を示す斜視図である。
【符号の説明】
１                      循環型搬送装置
４                      搬送基板
５                      無端循環走行機構
６                      駆動装置
７                      収容部
８                      脚柱（脚部材）
８ａ                    上脚
８ｂ                    下脚
１０                    無端チェン
１２                    マグネット（磁性材）
１４                    幕板
１５ａ                  駆動側スプロケット
１５ｂ                  従動側スプロケット
１６ａ，１６ｂ          チェンガイド
２０                    サポート
２２                    ベース体
２５                    可搬式バッテリー
２６                    係止ピン
２８ａ，２８ｂ，２８ｃ  循環型搬送装置
３０                    テーブル
３２                    天板
３８                    脚柱
Ｐ                      枢支ピン
Ｓ                      食器皿（被搬送体）
Ｔ                      搬送路
【図１】
2004248854.tif 000003
【図２】
2004248854.tif 000004
【図３】
2004248854.tif 000005
【図４】
2004248854.tif 000006
【図５】
2004248854.tif 000007